(57)【要約】【課題】回路遮断器を収容する盤の盤パネル加工，組立精度のバラツキに左右されることなく、高い防水・防塵機能を確保して設置できるように改良した外部操作ハンドル装置を提供する。【解決手段】盤内に配置の回路遮断器１に組み付け、盤パネル８に開口したハンドル取付穴を通してハンドルカバー４およびハンドル摘み５を盤パネルの前方に突き出して回路遮断器を開閉操作するようにした外部操作ハンドル装置２において、ハンドルカバー４の外周に防水・防塵リング１４を螺設し、盤への設置状態で防水・防塵リング１４を盤パネル８の前方からハンドルカバー４に螺合して盤パネルの取付穴／ハンドルカバー間の隙間を閉塞するものとし、防水・防塵リング１４はねじ部から外周に迫り出した鍔部１４ｂを有し、その背面にシール部材としてＯリング１５を設ける。【選択図】        図１
2008047477.tif 000002
【特許請求の範囲】
【請求項１】
盤内に配置した回路遮断器に取付けて盤外から操作する外部操作ハンドル装置であって、盤パネルに開口したハンドル取付穴を通してハンドルカバーおよびハンドル摘みを盤パネルの前方に突き出し、そのハンドル操作により回路遮断器のＯＮ，ＯＦＦ、ＲＥＳＥＴ操作を行うようにしたものにおいて、
前記ハンドルカバーの外周に防水・防塵リングを螺合付設し、盤内に配置の回路遮断器に組み付けた状態で、前記防水・防塵リングを盤パネルの前方からハンドルカバーに螺設して盤パネルの取付穴／ハンドルカバー間の隙間を閉塞するようにしたことを特徴とする回路遮断器の外部操作ハンドル装置。
【請求項２】
請求項１に記載の外部操作ハンドル装置において、防水・防塵リングはネジ部から外周に迫り出した鍔部を有し、かつ該鍔部の背面にシール部材を設けたことを特徴とする回路遮断器の外部操作ハンドル装置。
【請求項３】
請求項２に記載の外部操作ハンドル装置において、シール部材がＯリングであることを特徴とする回路遮断器の外部操作ハンドル装置。
【発明の詳細な説明】
【技術分野】
【０００１】
本発明は、配線用遮断器，漏電遮断器などの回路遮断器に適用する外部操作ハンドル装置に関する。
【背景技術】
【０００２】
頭記した配線用回路遮断器，漏電遮断器などの付属装置として、配電盤，分電盤などの盤内に配置した回路遮断器を盤外から開閉操作する外部操作ハンドル装置が周知である（例えば、特許文献１参照）。
この外部操作ハンドル装置は、そのボディにロータリー式のハンドル、および該ハンドルと回路遮断器のロッカー式ハンドルとの間を連繋するドライブ機構を搭載した構造になり、盤内に配置した回路遮断器に当該ハンドル装置を組付けた状態で、盤外から前記ハンドルを回すことにより、回路遮断器のハンドルをＯＮ，ＯＦＦ，ＲＥＳＥＴ操作する。
【０００３】
次に、前記外部操作ハンドル装置および配電盤への取付構造を図３〜図５で説明する。先ず図３において、１は回路遮断器、１ａは回路遮断器のロッカー式ハンドル、２は前記ハンドル１ａに連繋させて回路遮断器１に組付けた外部操作ハンドル装置である。なお、回路遮断器１の開閉，トリップ動作は周知であり、ここではその説明は省略する。
また、外部操作ハンドル装置２は、特許文献１にも詳しく述べられているように、ボディ（取付ベース）３にハンドルカバー４，ロータリー式のハンドル摘み５を搭載し、その内部にターンベース，スライドベース，ハンドルアームを組合せたドライブ機構（不図示）、および後記のように盤パネルとの間をインターロックして盤パネルを閉位置に施錠する扉ロックレバー６を備えた構成になる。なお、７は外部操作ハンドル装置２を回路遮断器１のケースに固定する締結ねじである。
【０００４】
一方、図４で示すように、回路遮断器１を収容する配電盤の盤パネル８にはハンドル取付穴８ａを開口した上で、その前面側に化粧板９，背面には前記の扉ロックレバー６に対応するラッチ１０ａを備えた掛金１０を重ね合わせてねじ１１により締結している。
また、図５は盤内の回路遮断器１に取付けた外部操作ハンドル装置２と盤パネル８との相対関係を表す図であり、外部操作ハンドル装置２を組み付けた回路遮断器１を盤内の取付板１６に固定した状態では、図示のように盤パネル８のハンドル取付穴８ａ（図４参照）を通して外部操作ハンドル装置２のハンドルカバー４，ハンドル摘み５が盤パネル８前方に突き出している。この状態でハンドル摘み５を回すことにより回路遮断器１をＯＮ，ＯＦＦ，ＴＲＩＰ操作することができる。また、盤内を点検するために盤パネル８を開く際には、回路遮断器１をＯＦＦにした上で、ハンドル摘み５を扉オープン位置に回すと前記扉ロックレバー６が掛金１０のラッチ１０ａから外れてパネル８とのインターロックが解除される。これによりパネル８を自由に開くことができる。なお、図中での１２は回路遮断器１のハンドル１ａに係合したドライブ機構のハンドルアームである。
【０００５】
一方、従来の外部操作ハンドル装置では、扉パネル８に開口したハンドル取付穴の穴周縁と外部操作ハンドル装置２のハンドルカバー４の外周面との間に残る間隙を通じて外方から雨水，塵埃が盤内に侵入するのを防ぐ防水，防塵対策として、図５で示すようにハンドルカバー４の基部にパッキン１３を布設し、このパッキン１３を扉パネル８の背面に配した掛金１０の板面に押し当てて外方からの雨水，塵埃の侵入を防ぐようにしている。
【特許文献１】特開平６−２６７３６２号公報
【発明の開示】
【発明が解決しようとする課題】
【０００６】
ところで、図５で述べた従来の防水，防塵対策構造は、機能面で次記のような問題点がある。すなわち、回路遮断器１を固定する盤内の取付レール１６と盤パネル８との間の間隔Ｌは盤パネルの板金加工，組立精度により決まるため、この間隔Ｌのバラツキが大きいと、盤パネル８を閉じた状態で外部操作ハンドル装置２に布設したパッキン１３に盤パネルの掛金板１０が密接せず、両者の間の隙間ｇが生じる。このような状況では、盤パネル８のハンドル取付穴とハンドルカバー５との間の間隙を浸水経路として雨水などが前記隙間ｇを伝わって盤内に侵入おそれがある。また、塵埃も同様に侵入するおそれがある。
【０００７】
本発明は上記の点に鑑みなされたものであり、その目的は前記課題を解消し、盤パネルの加工，組立精度のバラツキに左右されることなく、高い防水・防塵機能を確保できるように改良した回路遮断器の外部操作ハンドル装置を提供することにある。
【課題を解決するための手段】
【０００８】
上記目的を達成するために、本発明によれば、盤内に配置した回路遮断器に組み付け、盤パネルに開口したハンドル取付穴を通してハンドルカバーおよびハンドル摘みを盤パネルの前方に突き出して回路遮断器をＯＮ，ＯＦＦ、ＲＥＳＥＴ操作するようにした外部操作ハンドル装置において、
前記ハンドルカバーの外周に防水・防塵リングを螺合付設し、回路遮断器を盤内に設置した状態で、前記防水・防塵リングを盤パネルの前方からハンドルカバーに螺設して盤パネルの取付穴／ハンドルカバー間の隙間を閉塞するものとし（請求項１）、その防水・防塵リングは具体的に次記のような態様で構成する。
（１）前記防水・防塵リングはねじ部から外周に迫り出した鍔部を有し、かつ鍔部の背面にシール部材を設ける（請求項２）。
（２）前項（１）において、シール部材がＯリングである（請求項３）。
【発明の効果】
【０００９】
上記の構成により、盤パネルを閉じた状態で、盤パネルのハンドル取付穴よりパネル前方に突き出した外部操作ハンドル装置のハンドルカバーに防水・防塵リングを螺合してねじ込んでいくと、盤内に設置した回路遮断器と盤パネルとの間の間隔にバラツキがあっても、これに左右されることなく防水・防塵リングの鍔部が盤パネルの前面（化粧板）に当たって鍔部の背面に設けたＯリングが盤パネルに密着するようになる。これにより、防水・防塵リングが盤パネルのハンドル取付穴と外部操作ハンドル装置のハンドルカバーとの間の隙間を閉塞して、高い防水，防塵機能を確保することができる。
【発明を実施するための最良の形態】
【００１０】
以下、本発明の実施の形態を図１，図２に示す実施例に基づいて説明する。なお、図１は外部操作ハンドル装置に防水・防塵リングを取付けた使用状態、図２は防水・防塵リングを取り付ける前の状態を表した図であり、図中で図５に対応する部材には同じ符号を付してその説明は省略する。
すなわち、図示実施例の外部操作ハンドル装置２、および盤パネル８への取付構造は基本的に図５と同様であるが、図５の従来装置に取り付けたパッキン１３に代えて、盤パネル８のハンドル取付穴８（図４参照）よりパネル前方に突き出たハンドルカバー４の外周面に防水・防塵リング１４が新たに螺設されている。この防水・防塵リング１４は内周面に雌ねじ１４ａを形成し、その前端から外周に鍔部１４ｂが迫り出した構造になり、鍔部１４ｂの背面にはシール部材としてＯリング１５を備えている。そして、ハンドルカバー５の外周面に形成した雄ねじ４ａに螺合して取付けるようにしている。
【００１１】
この外部操作ハンドル装置２を盤内に設置の回路遮断器１に取付け、盤パネル８を閉じた状態で前方に突き出たハンドルカバー４に防水・防塵リング１４を螺合してねじ込んでいくと、図１で示すように防水・防塵リング１４の鍔部１４ｂが盤パネル８の前面に配した化粧板９に突き当たってＯリング１５が化粧板の板面に密着するようになる。
これにより、盤パネル８のハンドル取付穴とハンドルカバー４との間の間隙が防水・防塵リング１４，Ｏリング１５により閉塞され、盤外から盤内に通じる浸水経路（図５参照）を完全に封止して高い防水，防塵機能を確保することができる。この場合に、盤パネル８の加工，組立精度により盤内に設置した回路遮断器の取付位置と盤パネル８との間の間隔にバラツキがあっても、防水・防塵リング１４のねじ込みにより前記バラツキを補完して防水・防塵リング１４を盤パネル８の化粧板９に正しく重ね合わせることができる。
【００１２】
なお、盤内点検などにより盤パネル８を開く場合には、まず、回路遮断器１をＯＦＦし、さらにハンドル操作により扉ロックレバー６（図３参照）を盤パネル８の掛金１０ａから外して盤パネル８の施錠を解いた上で、前方から防水・防塵リング１４のねじを緩めてハンドルカバー４から取り外す。これにより盤パネル８を自由に開くことができる。
【図面の簡単な説明】
【００１３】
【図１】本発明の実施例による防水・防塵リング付き外部操作ハンドル装置の盤内設置状態を表す要部断面の側視図
【図２】図１で防水・防塵リングを外部操作ハンドル装置に螺設する前の状態を表す図
【図３】回路遮断器とともに表した従来の外部操作ハンドル装置の外観斜視図
【図４】外部操作ハンドル装置を設置する盤パネルの分解斜視図
【図５】従来の外部操作ハンドル装置を盤内に設置した状態を表す側面図
【符号の説明】
【００１４】
１    回路遮断器
１ａ  回路遮断器のハンドル
２    外部操作ハンドル装置
４    ハンドルカバー
５    ハンドル摘み
８    盤パネル
８ａ  ハンドル取付穴
９    化粧板
１４    防水・防塵リング
１４ａ  鍔部
１５    Ｏリング（シール部材）
【図１】
2008047477.tif 000003
【図２】
2008047477.tif 000004
【図３】
2008047477.tif 000005
【図４】
2008047477.tif 000006
【図５】
2008047477.tif 000007